(57)【要約】【課題】１人の作業者が投影レンズの焦点距離を調整でき、かつ投影結果を直ちに観察して再調整できるリアプロジェクションディスプレイを提供する。【解決手段】ベース、仕切り、フレーム及び光学エンジンを備えるリアプロジェクションディスプレイであって、仕切りは、ベースに設けられ、システムスペース及びレンズ調整スペースを画定する。システムスペース及びレンズ調整スペースは、ベース上の前方開口により露出される。光学エンジンは、システムスペースに設けられ、光学エンジンの投影レンズは、レンズ調整スペースへ突出する。フレームは、ベース上に設けられ、スクリーンを固定する。レンズ調整スペースを介して焦点距離を直接調整することができると同時に、スクリーンから投影効果を観察することができる。【選択図】  図３Ａ
2006337971.tif 000002
【特許請求の範囲】
【請求項１】
前方開口を有するベースと、
該ベース上に配置され、スクリーンを露出する表示開口を有するフレームと、
前記ベース上に配置され、前記フレームの一側に接続される後方ハウジングと、
前記ベース内に配置され、前記ベース内でシステムスペース及びレンズ調整スペースを画定する仕切りと、
前記ベースの前記システムスペース内に配置されるシステムモジュールと、
前記ベースの前記前方開口に配置され、前記システムスペース及び前記レンズ調整スペースを密封する着脱可能パネルとを備え、
前記レンズ調整スペースは、前記システムスペースと前記フレームと間に位置し、前記システムスペース及び前記レンズ調整スペースは、前記前方開口によって露出され、
前記仕切りは、少なくとも１つのレンズ配列開口を有し、
前記システムモジュールは、前記仕切りの前記レンズ配列開口に配置され前記レンズ調整スペース内へ突出する投影レンズを有する光学エンジンを備えることを特徴とするリアプロジェクションディスプレイ。
【請求項２】
前記システムモジュールは、更に、回路基板と、該回路基板に電気的に接続される少なくとも一つの映像管とを備えることを特徴とする請求項１記載のリアプロジェクションディスプレイ。
【請求項３】
前記システムモジュールは、更に、前記回路基板に電気的に接続されるスピーカーを備えることを特徴とする請求項１記載のリアプロジェクションディスプレイ。
【請求項４】
前記着脱可能パネル及び前記スクリーンは、前記ベースの同一側に設けられていることを特徴とする請求項１記載のリアプロジェクションディスプレイ。
【請求項５】
前記後方ハウジングに配置される光学レンズセットを更に備えることを特徴とする請求項１記載のリアプロジェクションディスプレイ。
【発明の詳細な説明】
【技術分野】
【０００１】
本発明は、該述すると、リアプロジェクションディスプレイ（rear projection display）に関し、更に詳細に述べると、投影レンズの焦点距離を調整するのに便利なリアプロジェクションディスプレイに関する。
【背景技術】
【０００２】
最近、リアプロジェクションディスプレイ装置は、テレビジョンまたはホームシアターのような大型ディスプレイに使用されるようになってきている。図１は、フレーム１０と、スクリーン１１と、ベース１２と、後方ハウジング１４とを備える従来のリアプロジェクションディスプレイを概略的に示す断面図である。スクリーン１１は、ベース１２上のフレーム１０内に配置され、光学エンジン１６、回路基板及び電力供給器のような電子デバイスは、フレーム１０内に配置されている。また、光学エンジン１６は、投影レンズ１７セットを備える。リフレクター（reflector  反射器）１８は、フレーム１０後方の後方ハウジング１４内に配置されている。
【０００３】
リアプロジェクションディスプレイの結像原理に従って、画像データを含む光ビーム２０は、ベース１２内の光学エンジン１６で生成される。光ビーム２０は、投影レンズ１７セットにより集光されてからリフレクター１８へ送られる。その後、リフレクター１８は、光ビーム２０をスクリーン１１に反射してスクリーン１１上に画像を表示する。詳細には、スクリーン１１上に形成された画像が鮮明であるか否かは、投影レンズ１７セットの焦点距離により決まる。従って、光ビーム２０がスクリーン１１上に精確に焦点合わせされるように、工場から出荷される前に、投影レンズ１７セットの焦点距離は手動で調整される。
【発明の開示】
【発明が解決しようとする課題】
【０００４】
図２は、図１のリアプロジェクションディスプレイを概略的に示す正面図である。近年、投影レンズ１７セットは、フレーム１０とベース１２との間に配置され、投影レンズ１７の数量は、赤、青及び緑の３原色による３個である。画像をスクリーン１１上に精確に形成することができず手動による調整が行われる時は、フレーム１０及びスクリーン１１を取り外して投影レンズ１７セットの焦点距離を調整する必要がある。その後、テストのためにフレーム１０及びスクリーン１１を組み立てるが、取り外し、組み立て及びテストという煩雑なステップは、多くの労働力と共に製造時間の浪費となる。
【０００５】
また、別のタイプのリアプロジェクションディスプレイでは、後方ハウジング１４に開口（図１参照）を設けて、そこから作業者が投影レンズ１７セットの焦点距離を調整することができるようになっている。しかしながら、開口はスクリーン１１の後方に配置されているため、スクリーン１１の前の他の作業者は、スクリーン１１に形成される画像を観察する必要がある。従って、２人の作業者が協力する不便さとともに、労働力の浪費を引き起こす。
【０００６】
そこで、本発明の目的は、スクリーンの下にレンズ調整スペースを配置し、投影レンズをレンズ調整スペース内へ突出させることにより投影レンズの高さが縮小され、スクリーン前で１人の作業者が投影レンズの焦点距離を調整することができ、投影効果を直ちに観察できるリアプロジェクションディスプレイを提供することである。
【課題を解決するための手段】
【０００７】
上記課題を解決し、所望の目的を達成するために、本発明に係るリアプロジェクションディスプレイは、一つの実施例において、前方開口を有するベースと、該ベース上に配置され、スクリーンを露出する表示開口を有するフレームと、前記ベース上に配置され、前記フレームの一側に接続される後方ハウジングと、前記ベース内に配置され、前記ベース内でシステムスペース及びレンズ調整スペースを画定する仕切りと、前記ベースの前記システムスペース内に配置されるシステムモジュールと、前記ベースの前記前方開口に配置され、前記システムスペース及び前記レンズ調整スペースを密封する着脱可能パネル（detachable panel）とを備え、前記レンズ調整スペースは、前記システムスペースと前記フレームとの間に位置し、前記システムスペース及び前記レンズ調整スペースは、前記前方開口によって露出され、前記仕切りは、少なくとも１つのレンズ配列開口を有し、前記システムモジュールは、前記仕切りの前記レンズ配列開口に配置され前記レンズ調整スペース内へ突出する投影レンズを有する光学エンジンを備えることを特徴とする。
【０００８】
本発明の一つの実施例によると、前記システムモジュールは、更に、回路基板と、該回路基板に電気的に接続される少なくとも一つの映像管とを備えることを特徴とする。
【０００９】
本発明の一つの実施例によると、前記システムモジュールは、更に、前記回路基板に電気的に接続されるスピーカーを備えることを特徴とする。
【００１０】
本発明の一つの実施例によると、前記着脱可能パネル及び前記スクリーンは、前記ベースの同一側に配置されていることを特徴とする。
【００１１】
本発明の一つの実施例によると、前記リアプロジェクションディスプレイは、更に、前記後方ハウジングに配置される光学レンズセットを備えることを特徴とする。  
【発明の効果】
【００１２】
本発明に係るリアプロジェクションディスプレイには、レンズ調整スペースが設けられているため、一人の作業者は、スクリーンの前からレンズ調整スペースを介して直接投影レンズの焦点距離を調整することができ、投影効果を直ちに観察できる。従って、取り外し、組み立て及びテストという煩雑なステップならびに労働力の浪費を回避することができ、生産効率を向上させることができる。
【発明を実施するための最良の形態】
【００１３】
以下、本発明を実施するための最良の形態を図面に基づいて説明する。添付図面は、本発明を更に理解するために含まれ、本明細書の一部に組み込まれ、本明細書の一部を構成する。添付図面は、説明と共に本発明の実施例を示し、本発明の原理を説明する。
【００１４】
本発明の実施例を詳細に説明するために、符号を添付図面に示される例に用いる。可能な限り同一又は同様の部分を参照するために、同一符号を、図面及び説明に用いる。
【実施例】
【００１５】
図３Ａおよび図３Ｂは、本発明の一つの実施例によるリアプロジェクションディスプレイを概略的に示す立体図及び正面図である。リアプロジェクションディスプレイ３０は、主に、ベース３２と、フレーム３４と、後方ハウジング３６と、仕切り３２２と、投影レンズ４２セットを有する光学エンジン４０と、着脱可能パネル３８とを備える。ベース３２は前方開口３２４を有し、フレーム３４はベース３２上に配置されている。例えば、前方開口３２４及びフレーム３４は、ベース３２の同一側に配置されている。フレーム３４は、表示開口３４２を有し、スクリーン３４４を露出させる。更に、後方ハウジング３６はベース３２上のフレーム３４後方に配置されており、図示しない光学レンズセット（optical lens assembly）は後方ハウジング３６に配置され、光学レンズセットはリフレクターのような光学レンズを備える。
【００１６】
図３Ａ及び図３Ｂに示すように、仕切り３２２は、ベース３２内に配置されており、ベース３２内でシステムスペース３２６及びレンズ調整スペース３２８を画定している。システムスペース３２６及びレンズ調整スペース３２８を、前方開口３２４によって露出させることができ、レンズ調整スペース３２８は、システムスペース３２６とフレーム３４との間に位置している。また、仕切り３２２は、レンズ配列開口３２２２を有し、投影レンズ４２セットは、レンズ配列開口３２２２に配列されて、レンズ調整スペース３２８内へ突出している。
【００１７】
システムモジュールは、ベース３２のシステムスペース３２６内に配置されている。システムモジュールは、光学エンジン４０と、回路基板、回路基板に電気的に接続された映像管及びスピーカー等のような他の関連する電子デバイスとを備える。光学エンジン４０は、画像データを含む光ビームを発生させるために用いられる。光ビームは、投影レンズ４２セットによって集光され、光学レンズセットへ送られる。その後、光学レンズセットは、光ビームをスクリーン３４４に送り、スクリーン３４４上に画像を表示する。
【００１８】
なお、投影レンズ４２の数量は、限定されたものではなく、本実施例では、赤、青及び緑のような異なる色の光ビームを提供するために、３個となっている。投影レンズ４２セットの焦点距離が精確でなければ、スクリーン３４４に投光された光ビームを焦点合わせすることができず画像がぼやけてしまう。従って、投影レンズ４２セットの焦点距離を、光ビームがスクリーン３４４に焦点合わせされるように調整し、スクリーン３４４上に表示される画像を向上させる必要がある。
【００１９】
本発明では、投影レンズ４２セットは、仕切り３２２のレンズ配列開口３２２２に配列され、レンズ調整スペース３２８内へ突出している。作業者は、ベース３２の前方開口３２４を介してレンズ調整スペース３２８の投影レンズ４２セットの焦点距離を直接調整することができる。これと同時に、作業者は、スクリーン３４４上に表示される画像を観察することができる。
【００２０】
また、着脱可能パネル３８は、ベース３２の前方開口３２４に配置される。通常、この着脱可能パネル３８は、システムスペース３２６及びレンズ調整スペース３２８を密封し、システムモジュールをホコリや湿気から保護している。投影レンズ４２セットの焦点距離を調整又はシステムモジュールの修理が必要であれば、着脱可能パネル３８をベース３２から取り外すことができる。
【００２１】
本発明は、ベース３２に設けられた仕切り３２２によりレンズ調整スペース３２８を提供し、投影レンズ４２セットは、レンズ調整スペース３２８内へ突出している。従って、１人の作業者は、リアプロジェクションディスプレイの前で、レンズ調整スペース３２８を介して投影レンズ４２セットの焦点距離を直接調整することができると同時に、投影状況を観察することができる。従って、本発明は、組み立て及びテストを簡略化して、製造時間を短縮し、労働コストを節約することができる。
【００２２】
本発明の範囲又は精神から逸脱しない限り、本発明の構造に種々の改良及び変形が施されることは、当業者にとって明らかである。上記を考慮して、本発明は、以下の請求項及びその均等の範囲に収まる本発明の変形や変化を含む。
【図面の簡単な説明】
【００２３】
【図１】従来のリアプロジェクションディスプレイを概略的に示す断面図である。
【図２】図１の従来のリアプロジェクションディスプレイを概略的に示す正面図である。
【図３Ａ】本発明の一つの実施例によるリアプロジェクションディスプレイを概略的に示す立体図である。
【図３Ｂ】本発明の一つの実施例によるリアプロジェクションディスプレイを概略的に示す正面図である。
【符号の説明】
【００２４】
３０  リアプロジェクションディスプレイ
３２  ベース
３２２  仕切り
３２２２  レンズ配列開口
３２４  前方開口
３２６  システムスペース
３２８  レンズ調整スペース
３４  フレーム
３４２  表示開口
３４４  スクリーン
３６  後方ハウジング
３８  着脱可能パネル
４０  光学エンジン
４２  投影レンズ
【図１】
2006337971.tif 000003
【図２】
2006337971.tif 000004
【図３Ａ】
2006337971.tif 000005
【図３Ｂ】
2006337971.tif 000006
【外国語明細書】
TITLE OF THE INVENTION
REAR PROJECTION DISPLAY
TECHNICAL FIELD
[0001]  The present invention generally relates to a rear projection display. More particularly, the present invention relates to a rear projection, which provides more convenience for adjusting the focal length of a projection lens.
BACKGROUND ART
[0002]  Recently, rear projection display apparatus has come to be used in the field of large scale display, such as TV or home theater. Fig. 1 schematically illustrates a conventional rear projection display, which comprises a frame 10, a screen 11, a base 12, and a back housing 14. The screen 11 is disposed in the frame 10 and above the base 12, in which electronic devices, such as an optical engine 16, a circuit board, and a power supply, are disposed. In addition, the optical engine 16 comprises a set of projection lens 17. A reflector is disposed within the back housing 14 and behind the frame 10.
[0003]  According to the imaging principle of the rear projection display, a light beam 20 including image data is produced by the optical engine 16 in the base. The light beam 20 is focused by the set of projection lens 17 and transmitted to the reflector 18. Then, the reflector 18 reflected the light beam 20 to the screen 11 for displaying an image on the screen 11. Specifically, whether the image formed on the screen 11 is clear is depend on the focal length of the set of projection lens 17. Therefore, before leaving the factory, a manually adjustment to the focal length of the set projection lens 17 is performed to ensure that the light beam 20 can be precisely focused on the screen 11.
DISCLOSURE OF INVENTION
PROBLEM TO BE SOLVED BY THE INVENTION
[0004]  Referring to Fig. 2, which schematically illustrates a front view of the rear projection display in Fig. 1. Recently, the set of projection lens 17 are disposed between the frame 10 and the base 12, wherein the amount of the projection lenses 17 may be three according to the primary colors: red, blue, and green. However, when the image can not be precisely formed on the screen 11 and the manually adjustment is performed, the frame 10 and the screen 11 need to be disassembled, and then the focal length of the set of projection lens 17 is adjusted. After that, the frame 10 and the screen 11 are assembled for testing. However, the burdensome steps of disassembling, assembling, and testing may waste a lot of manpower, as well as the production time.
[0005]  Furthermore, in another type of rear projection display, the back housing 14 has an opening (reference to FIG. 1), through which a worker can adjust the focal length of the set of projection lens 17. However, since the opening is arranged behind the screen 11, another worker in front of the screen 11 is needed for observing the image formed on the screen 11. Therefore, the cooperation of the two workers is inconvenient and cause more consumption of manpower.
[0006]  Accordingly, the present invention is directed to a rear projection display, wherein the height of the projection lens is reduced by arranging a lens adjusting space under the screen and protruding the projection lens into the lens adjusting space. Therefore, in front of the screen, the worker can adjust the focal length of the projection lens and observe the projection effect immediately.
MEANS FOR SOLVING THE PROBLEM
[0007] In order to solve the above problems and to achieve the desirable object, in one embodiment, the present invention provides a rear projection display, which comprises a base, a frame, a back housing, a partition, a system module, and a detachable panel. The base has a front opening. The frame is disposed on the base, and the frame has a displaying opening for exposing a screen. The back housing is disposed on the base and connecting to one side of the frame. The partition is disposed within the base for defining a system space and a lens adjusting space in the base, wherein the lens adjusting space is located between the system space and the frame, the system space and the lens adjusting space are exposed by the front opening, and the partition has at least one lens arranging opening. The system module is disposed in the system space of the base, wherein the system module comprises an optical engine having a projection lens, which is disposed at the lens arranging opening of the partition and protrudes into the lens adjusting space. The detachable panel is disposed at the front opening of the base for sealing the system space and the lens adjusting space.
[0008]  According to an embodiment of the present invention, the system module may further comprise a circuit board and at least one picture tube electrically connected to the circuit board.
[0009]  According to an embodiment of the present invention, the system module may further comprise a speaker, which is electrically connected to the circuit board.
[0010]  According to an embodiment of the present invention, the detachable panel and the screen are arranged at the same side of the base.
[0011]  According to an embodiment of the present invention, the rear projection display may further comprise an optical lens assembly, which is disposed in the back housing.
EFFECT OF THE INVENTION
[0012]  Since the lens adjusting space is provided in the rear projection display of the present invention, the worker can directly adjust the focal length of the projection lens through the lens adjusting space. Therefore, the consumption of manpower and the burdensome steps of disassembling, assembling, and testing can be avoided. In other words, the production efficiency is improved.
BEST MODE FOR CARRYING OUT THE INVENTION
[0013]  The accompanying drawings are included to provide a further understanding of the invention, and are incorporated in and constitute a part of this specification.  The drawings illustrate embodiments of the invention and, together with the description, serve to explain the principles of the invention.
[0014]  Reference will now be made in detail to the present embodiments of the invention, examples of which are illustrated in the accompanying drawings.  Wherever possible, the same reference numbers are used in the drawings and the description to refer to the same or like parts.
EMBODIMENT
[0015]  Referring to Figs. 3A and 3B, which are three-dimensional and front views schematically illustrate a rear projection display according to one embodiment of the present invention. The rear projection display 30 mainly comprises a base 32, a frame 34, a back housing 36, a partition 322, an optical engine 40 having a set of projection lens 42, and a detachable panel 38. Wherein, the base 32 has a front opening 324, and the frame 34 is disposed on the base 32. For example, the front opening 324 and the frame 34 may be arranged at the same side of the base 32. The frame 34 has a displaying opening 342 for exposing a screen 344. In addition, the back housing 36 is disposed on the base 32 and behind the frame 34, wherein an optical lens assembly (not shown) is disposed in the back housing 36, and the optical lens assembly may comprises an optical lens, such as a reflector.
[0016]  Referring to Figs. 3A and 3B, the partition 322 is disposed within the base 32 for defining a system space 326 and a lens adjusting space 328 in the base. The system space 326 and the lens adjusting space 328 can be exposed by the front opening 324, and the lens adjusting space 328 is located between the system space 326 and the frame 34. In addition, the partition 322 has a lens arranging opening 3222, and the set of projection lens 42 are disposed at the lens arranging opening 3222 and protrude into the lens adjusting space 328.
[0017]  A system module is disposed within the system space 326 of the base 32. The system module may comprise the optical engine 40 and other relative electronic devices, such as a circuit board, a picture tube electrically connected to the circuit board, a speaker, etc. The optical engine 40 is used for producing a light beam including image data. The light beam is focused by the set of projection lens 42 and transmitted to the optical lens assembly. Then, the optical lens assembly transmits the light beam to the screen 344 for displaying an image on the screen 344.
[0018]  It should be noted that the amount of the projection lenses 42 is not limited. In the embodiment, the amount of the projection lenses 42 may be three for providing light beams in different color, such as red, blue, and green. As the focal length of the set of projection lens 42 is not correct, the light beam projected to the screen 344 can not be focused, and the image goes blurred. Therefore, the focal length of the set of projection lens 42 must be adjusted to focus the light beam to the screen 344 and improve the image displayed on the screen 344.
[0019]  In the present invention, the set of projection lens 42 is arranged at the lens arranging opening 3222 of the partition 322 and protrudes into the lens adjusting space 328. The worker can directly adjust the focal length of the set of projection lens 42 in the lens adjusting space 328 through the front opening 324 of the base 32. At the same time, the image formed on the screen 344 can also be observed by the worker as the adjustment is performed.
[0020]  In addition, the detachable panel 38 is disposed at the front opening 324 of the base 32. Ordinarily, the detachable panel 38 is used for sealing the system space 326 and the lens adjusting space 328 to protect the system module from dust or humidity. If it is necessary for adjusting the focal length of the projection lens 42 or repairing the system module, the detachable panel 38 can be detached from the base 32.
[0021]  In summary, the present invention provides the lens adjusting space 328 by the partition 322 in the base 32, and the set of projection lens 42 protrudes into the lens adjusting space 328. Therefore, the worker can directly adjust the focal length of the set of projection lens 42 through the lens adjusting space 328 in front of the rear projection display and can observe the situation of projection simultaneously. The present invention can simplify the steps of assembling and testing, reduce the production time, and save the labor cost.
[0022]  It will be apparent to those skilled in the art that various modifications and variations can be made to the structure of the present invention without departing from the scope or spirit of the invention.  In view of the foregoing, it is intended that the present invention cover modifications and variations of this invention provided they fall within the scope of the following claims and their equivalents.
BRIEF DESCRIPTION OF THE DRAWINGS
[0023]
Fig. 1 schematically illustrates a conventional rear projection display.  
Fig. 2 schematically illustrates a front view of the rear projection display in Fig. 1.
Figs. 3A and 3B are three-dimensional and front views schematically illustrate a rear projection display according to one embodiment of the present invention.
DESCRIPTION OF NUMERALS
30   rear projection display
32   base
322  partition
3222 lens arranging opening 
324  front opening 
326  system space
328  lens adjusting space 
34   frame
342  displaying opening 
344  screen
36   back housing
38   detachable panel
40   optical engine 
42   projection lens 
[0024]
【CLAIM１】
A rear projection display, comprising:
a base, having a front opening;
a frame, disposed on the base, wherein the frame has a displaying opening for exposing a screen;
a back housing, disposed on the base, and connecting to one side of the frame;
a partition, disposed within the base for defining a system space and a lens adjusting space in the base, wherein the lens adjusting space is located between the system space and the frame, the system space and the lens adjusting space are exposed by the front opening, and the partition has at least one lens arranging opening;
a system module, disposed in the system space of the base, wherein the system module comprises an optical engine having a projection lens, which is disposed at the lens arranging opening of the partition and protrudes into the lens adjusting space; and
a detachable panel, disposed at the front opening of the base for sealing the system space and the lens adjusting space.
【CLAIM２】
The rear projection display according to claim 1, wherein the system module further comprises:
a circuit board; and
at least one picture tube, electrically connected to the circuit board.
【CLAIM３】
The rear projection display according to claim 1, wherein the system module further comprises a speaker, which is electrically connected to the circuit board.
【CLAIM４】
The rear projection display according to claim 1, wherein the detachable panel and the screen are arranged at the same side of the base.
【CLAIM５】
The rear projection display according to claim 1, further comprising an optical lens assembly, which is disposed in the back housing.
ABSTRACT
PROBLEM TO SOLVE
To provide a rear projection display in which a worker can adjust a focal length of a projection lens and readjust the focal length by immediately observing the projection result.  
COUNTERMEASURE TO SOLVE THE PROBLEM
A rear projection display, including a base, a partition, a frame, and an optical engine, is provided. The partition is disposed in the base for defining a system space and a lens adjusting space, wherein the system space and the lens adjusting space are exposed by a front opening on the base. The optical engine is disposed in the system space, and a projection lens of the optical engine protrudes into the lens adjusting space. The frame is disposed on the base for fixing a screen. The focal length can be directly adjusted through the lens adjusting space, and the projection effect can be observed simultaneously from the screen.  
SELECTED DRAWING   FIG. 3A
【FIG. 1】 
2006337971.tif 000007
【FIG. 2】 
2006337971.tif 000008
【FIG. 3A】 
2006337971.tif 000009
【FIG. 3B】 
2006337971.tif 000010